(57)【要約】【課題】本発明は、簡単に鉄片を回収でき、かつ持ち運びが苦にならない器具を提供することを課題とする。【解決手段】本発明の履物は、ソールと、上記ソールの周縁部上側に接続される外周部を有するアッパーと、上記ソールの周縁部又は上記アッパーの外周部に配設される磁石とを備える。上記磁石の最下部から上記ソールの底面までの垂直距離としては０．５ｍｍ以上１０ｍｍ以下が好ましい。左右一対に形成され、上記磁石が上記ソールの踏みつけ部前側及び外側の周縁部並びに踏まず部外側の周縁部又はそれらの上側の上記アッパーの外周部に配設されるとよい。上記アッパーが外周部に連続し、上記ソールの上を少なくとも部分的に覆う上被部を有し、上記アッパーの上被部のつま先領域に配設される磁石をさらに備えるとよい。上記ソールが、踏み抜き防止材を有するとよい。【選択図】図１
2015202323.tif 000002
【特許請求の範囲】
【請求項１】
ソールと、
上記ソールの周縁部上側に接続される外周部を有するアッパーと、
上記ソールの周縁部又は上記アッパーの外周部に配設される磁石と
を備える履物。
【請求項２】
上記磁石の最下部から上記ソールの底面までの垂直距離が０．５ｍｍ以上１０ｍｍ以下である請求項１に記載の履物。
【請求項３】
左右一対に形成され、
上記磁石が上記ソールの踏みつけ部前側及び外側の周縁部並びに踏まず部外側の周縁部又はそれらの上側の上記アッパーの外周部に配設される請求項１又は請求項２に記載の履物。
【請求項４】
上記アッパーが外周部に連続し、上記ソールの上を少なくとも部分的に覆う上被部を有し、
上記アッパーの上被部のつま先領域に配設される磁石をさらに備える請求項１、請求項２又は請求項３に記載の履物。
【請求項５】
上記ソールが、踏み抜き防止材を有する請求項１から請求項４のいずれか１項に記載の履物。
【発明の詳細な説明】
【技術分野】
【０００１】
本発明は、履物に関する。
【背景技術】
【０００２】
建築現場等では、地面や床に釘やねじ等の鉄片を落とすことがよくある。落とした鉄片をその都度拾うことができればよいが、作業を中断することを嫌って落とした鉄片が放置されることも少なくない。また、落とした鉄片が地面や床の上を転がって容易に見つけることができず、鉄片の回収をあきらめざるを得ないこともある。
【０００３】
地面や床に落下した釘等の鉄片を簡単に回収する装置として、磁石により鉄片を吸着する装置が提案されている（実公昭６１−２２６８４号公報参照）。このような装置を用いれば、手で拾い集めるよりも簡単に鉄片を回収できるが、それまで行っていた作業を中断しなければならないことに変わりはない。また、そのような器具を余分に所持することも敬遠される。
【先行技術文献】
【特許文献】
【０００４】
【特許文献１】実公昭６１−２２６８４号公報
【発明の概要】
【発明が解決しようとする課題】
【０００５】
上記不都合に鑑みて、本発明は、簡単に鉄片を回収でき、かつ持ち運びが苦にならない器具を提供することを課題とする。
【課題を解決するための手段】
【０００６】
上記課題を解決するためになされた本発明にかかる器具は、ソールと、上記ソールの周縁部上側に接続される外周部を有するアッパーと、上記ソールの周縁部又は上記アッパーの外周部に配設される磁石とを備える履物である。
【０００７】
当該履物は、ソールの周縁部又はアッパーの外周部に磁石が配設されているので、この磁石が歩く度に地面又は床に落ちている鉄片を吸着する。これにより、ユーザーは、鉄片を簡単に、又は無意識のうちに回収することができる。さらに、片足を上げることにより磁石に吸着された鉄片を手で取ることもできる。つまり、当該履物を使用すれば、地面や床に落ちている鉄片を屈み込むことなく、立ったままで手に取ることができる。また、当該履物は、通常の履物に替えて履くことができるので、余分な荷物とならず、持ち運びが苦にならない。
【０００８】
上記磁石の最下部から上記ソールの底面までの垂直距離としては、０．５ｍｍ以上１０ｍｍ以下が好ましい。磁石の最下部からソールの底面までの垂直距離を上記範囲内とすることによって、磁石に吸着された鉄片が歩行の際に地面や床に当接し難く、歩行を阻害したり違和感を与えたりすることを防止できる。
【０００９】
当該履物が左右一対に形成され、上記磁石が上記ソールの踏みつけ部前側及び外側の周縁部並びに踏まず部外側の周縁部又はそれらの上側の上記アッパーの外周部に配設されるとよい。このように、履物の内足側以外に磁石を配設することで、磁石又は磁石に吸着された鉄片が歩行の際に他方の履物に干渉することがない。また、履物のかかと部以外に磁石を配設することで、ユーザーが磁石に吸着された鉄片を容易に目視して確認することができる。
【００１０】
上記アッパーが外周部に連続し、上記ソールの上を少なくとも部分的に覆う上被部を有し、上記アッパーの上被部のつま先領域に配設される磁石をさらに備えるとよい。このように上被部のつま先領域にさらに磁石を配設することによって、つま先を地面又は床にこすり付けるようにして鉄片を探すことも可能となる。
【００１１】
上記ソールが、踏み抜き防止材を有するとよい。このように、ソールが踏み抜き防止材を有することによって、釘を踏んでも釘がソールを貫通してユーザーの足を傷つける心配がない。
【発明の効果】
【００１２】
以上のように、本発明の履物は、ソールの周縁部又はアッパーの外周部に磁石が配設されているので、簡単に鉄片を回収でき、かつ持ち運びが苦にならない。
【図面の簡単な説明】
【００１３】
【図１】本発明の一実施形態の靴を示す模式的側面図である。
【図２】図１の靴の模式的平面図である。
【図３】本発明の図１とは異なる実施形態の靴を示す模式的側面図である。
【図４】本発明の図１及び図３とは異なる実施形態の靴を示す模式的側面図である。
【図５】本発明の図１、図３及び図４とは異なる実施形態の靴を示す模式的平面図である。
【発明を実施するための形態】
【００１４】
以下、適宜図面を参照しつつ、本発明の実施の形態を詳説する。
【００１５】
［第一実施形態］
図１及び図２の靴１は、本発明の履物の一実施形態である。当該靴１は、ソール（靴底）１０とこのソール１０の周縁部１１の上側に接続される外周部２１を有するアッパー（甲被）２０と、ソール１０の周縁部１１及びアッパー２０の外周部２１に跨って配設される複数の磁石３０とを備える。この靴１は、互いに対称な左右一対（右足用及び左足用）に形成されるが、図１及び図２には左足用のみを示す。
【００１６】
＜ソール＞
ソール１０は、単層構造であってもよく、ミッドソール及びアウトソールを有する多層構造であってもよく、踏み抜き防止材の層を有する多層構造とすることが好ましい。また、踏み抜き防止材の層は、インソール（いわゆる中敷）に設けてもよい。
【００１７】
ソール１０の材質としては、例えば天然皮革、合成皮革、ゴム等が好適に用いられる。また、上記踏み抜き防止材としては、例えば鉄板、ステンレス鋼板、高強度繊維製織布等が挙げられる。
【００１８】
ソール１０は、前側から順に踏みつけ部１２、踏まず部１３及びかかと部１４に分けられる。通常、踏みつけ部１２及びかかと部１４が地面に当接し、踏まず部１３は地面に当接しないよう形成されるが、本発明では、踏みつけ部１２、踏まず部１３及びかかと部１４の全てが地面に当接するいわゆる平底であってもよい。よって、ソール１０において、踏みつけ部１２、踏まず部１３及びかかと部１４は、形状において明確に境界が定められる必要はなく、平底の場合はユーザーの足の土踏まずに略対応する部分を踏まず部１３と解釈する。
【００１９】
ソール１０の厚さとしては、特に限定されないが、踏みつけ１２部及び踏まず部１３においては例えば５ｍｍ以上１５ｍｍ以下とすることができ、かかと部１４においては例えば５ｍｍ以上３０ｍｍ以下とすることができる。つまり、かかと部１４の厚さは、踏みつけ部１２及び踏まず部１３と等しくてもよく、踏みつけ１２部及び踏まず部１３よりも大きくてもよい。また、踏みつけ１２部と踏まず部１３との厚さが異なってもよい。
【００２０】
＜アッパー＞
アッパー２０は、ソール１０の上側の周縁部１１近傍に接続されて上方に延伸する外周部２１と、外周部２１に連続し、ソール１０の上を少なくとも部分的に、具体的には踏みつけ部１２の上部を覆う上被部２２と、踏まず部１３の上方において外周部２１に連続する一対のブラッチャー（外羽根）２３と、上被部２２に連続し、一対のブラッチャー２３の隙間を裏側から封止するタン（舌革）２４と、一対のブラッチャー２３にそれぞれ設けられるはと目２５に架け渡されるレース（靴ひも）２６とを有する。
【００２１】
アッパー２０の材質としては、例えば天然皮革、合成皮革、織布等が挙げられ、釘等が容易に貫通しないものが好ましい。
【００２２】
ソール１０とアッパー２０との接続方法としては、縫い合わせ、接着等の任意の方法を適用することができる。
【００２３】
＜磁石＞
磁石３０は、ソール１０の踏みつけ部１２前側及び外側の周縁部１１並びに踏まず部１３外側の周縁部１１及びそれらの上側のアッパー２０の外周部２１に、ソール１０の底面から略一定の高さに、好ましくは一定の間隔で配設される。
【００２４】
磁石３０の種類としては、特に限定されないが、例えばフェライト磁石、サマリウムコバルト磁石、ネオジム磁石等が使用される。
【００２５】
磁石３０の表面磁束密度の下限としては、５００ガウスが好ましく、１０００ガウスがより好ましい。一方、磁石３０の表面磁束密度の上限としては、５００００ガウスが好ましく、１００００ガウスがより好ましい。磁石３０の表面磁束密度が上記下限に満たない場合、釘等の鉄片を吸着できないおそれがある。また、磁石３０の表面磁束密度が上記上限を超える場合、磁石３０に吸着された鉄片を容易に取り外せないおそれがある。
【００２６】
磁石３０の形状としては、ソール１０の周縁部１１及びアッパー２０の外周部２１に配設することができるものであればよく、例えば円盤状、方形板状等任意の形状を採用することができる。
【００２７】
磁石３０の平均厚さの上限としては、５ｍｍが好ましく、３ｍｍがより好ましい。磁石の平均厚さが上記上限を超える場合、磁石３０がソール１０から大きく突出し、歩行時に周囲の物品に引っかかり、ユーザーを転倒させるおそれがある。
【００２８】
また、磁石３０の平均面積の下限としては、３ｍｍ２が好ましく、８ｍｍ２がより好ましい。一方、磁石３０の平均面積の上限としては、５００ｍｍ２が好ましく、１００ｍｍ２がより好ましい。磁石３０の平均面積が上記下限に満たない場合、鉄片を十分に吸着できるようにするために数多くの磁石３０を配設する必要があり、当該履物のコストが過大となるおそれがある。また、磁石３０の平均面積が上記上限を超える場合、曲面で構成されるソール１０の周縁部１１及びアッパー２０の外周部２１に配設することが容易でなくなるおそれがある。
【００２９】
磁石３０の間隔（隙間）の下限としては、特に限定されないが、１０ｍｍが好ましく、３０ｍｍがより好ましい。一方、磁石３０の間隔の上限としては、特に限定されないが、６０ｍｍが好ましく、４０ｍｍがより好ましい。磁石３０の間隔が上記下限に満たない場合、磁石３０の間に吸着された鉄片を取り外すことが困難となるおそれがある。また、磁石３０の間隔が上記上限を超える場合、磁石３０の間において鉄片を吸着する力が不十分となるおそれがある。
【００３０】
磁石３０のＮ極及びＳ極の向きとしては、特に限定されず、すべて外側がＮ極又はＳ極となるよう磁石３０を配設してもよく、Ｎ極とＳ極とが交互に外側になるよう磁石３０を配設してもよい。また、極性がソール１０の周縁部１１に沿う方向となるよう磁石３０を配設してもよい。この場合、隣接する磁石３０は互いに同じ極を対向させるよう配向される。
【００３１】
磁石３０の最下部からソール１０の底面までの垂直距離の下限としては、０．５ｍｍが好ましく、１ｍｍがより好ましい。一方、磁石３０の最下部からソール１０の底面までの垂直距離の上限としては、１０ｍｍが好ましく、５ｍｍがより好ましく、３ｍｍがさらに好ましい。磁石３０の最下部からソール１０の底面までの垂直距離が上記下限に満たない場合、磁石３０に吸着された釘等の鉄片がソール１０の底面にはみ出して歩行時に足を滑らせたり違和感を与えたりする原因となるおそれや、磁石３０に吸着された鉄片が地面や床に当接して磁石３０に過剰な力を加えて当該靴１から脱落させるおそれがある。また、磁石３０の最下部からソール１０の底面までの垂直距離が上記上限を超える場合、地面や床に落ちている微細な鉄片に十分な磁力を作用させることができず、鉄片を吸着できないおそれがある。なお、ソール１０の底面までの垂直距離とは、ソール１０の底面又はその延長面に対する垂直距離を意味する。
【００３２】
＜利点＞
当該靴１は、ソール１０の周縁部１１及びアッパー２０の外周部２１に複数の磁石３０が配設されているので、ユーザーが足を動かすたびに、これらの磁石３０が当該靴１の近傍の地面又は床に落ちている釘等の鉄片を吸着する。このため、ユーザーが意図して鉄片を探さなくても、他の作業をしている間に地面又は床に落ちている釘等の鉄片を拾い集めることができる。また、ユーザーが意図的に当該靴１を地面又は床の上で滑らせるように足を動かすことによって、目視により確認することなく地面又は床に落ちている鉄片を探し出して拾い集めることができる。
【００３３】
また、ユーザーは、当該靴１を履いた片足を上げることにより、磁石３０に吸着された鉄片を手に取ることができる。つまり、当該靴１を使用すれば、地面や床に落ちた釘等の鉄片をしゃがむことなく拾い上げることができる。
【００３４】
当該靴１は、通常の靴として着用されるので、鉄片を回収するために余分な器具を携帯する必要がなく、持ち運びが苦にならない。よって、ユーザーの負担が少なく、例えば建築現場において釘やねじの回収に対する作業者の協力を得やすい。
【００３５】
当該靴１では、踏みつけ部１２前側及び外側の周縁部１１並びに踏まず部１３外側の周縁部１１に、磁石３０が配置されている。つまり、内足側の周縁部１１及びその上側の外周部２１には、磁石３０が配設されていない。これにより、ユーザーが歩行する際、左右の靴１の磁石３０又は磁石３０に吸着された鉄片がぶつかり合って、歩行を阻害したり磁石３０が脱落したりすることがない。
【００３６】
また、当該靴１では、かかと部１４の周縁部１１及びその上側の外周部２１には、磁石３０が配設されていない。従って、当該靴１は、ユーザーが目視し難い位置に鉄片が吸着されない。このため、ユーザーが当該靴１への鉄片の吸着状態を容易に把握でき、鉄片が過剰に吸着される前に磁石３０に吸着された鉄片を取り除くことができる。
【００３７】
また、当該靴１は、ソール１０が踏み抜き防止材を有することにより、磁石３０に吸着された釘等の鋭利な鉄片の先端がソール１０の下側に入り込んだとしても、この鉄片がソール１０を貫通してユーザーの足を傷つけることがない。
【００３８】
［第二実施形態］
図３の靴１ａは、いわゆるスリッポンタイプの一種であるローファー型の靴である。この靴１ａは、ソール１０ａとこのソール１０ａの周縁部１１ａ近傍上側に接続される外周部２１ａ、及び外周部２１ａに連続し、ソール１０ａの上を部分的に覆う上被部２２ａを有するアッパー２０ａと、ソール１０ａの周縁部１１ａに配設される複数の磁石３０ａとを備える。この靴１ａは、互いに対称な左右一対に形成されるが、図３には左足用のみを示す。
【００３９】
＜ソール＞
図３の靴１ａにおいて、ソール１０ａには、周縁部１１ａから突出しないように磁石３０ａが埋め込まれている。
【００４０】
図３の靴１ａのソール１０ａについて、上記以外の材質、厚さ等の構成は、図１の靴１のソール１０と同様であるため、同じ構成要素には同じ同一の符号を付して、重複する説明は省略する。
【００４１】
＜アッパー＞
図３の靴１ａにおいて、アッパー２０ａは、外周部２１ａを構成する生地と上被部２２ａを構成する生地とが縫い合わされることにより接続されている。
【００４２】
図３の靴１ａのアッパー２０ａの材質等は、図１の靴１のアッパー２０と同様であるため、重複する説明は省略する。
【００４３】
＜磁石＞
図３の靴１ａにおいて、磁石３０ａは、上述のようにソール１０ａに埋め込まれ、表面がソール１０ａの周縁部１１ａと略面一となっている。
【００４４】
当該靴１ａでは、磁石３０ａの高さは、ソール１０ａの厚さよりも小さい必要がある。また、磁石３０ａの厚さについては、ソール１０ａに埋め込まれるため大きくてもよい。
【００４５】
また、磁石３０ａがソール１０ａに埋め込まれると、ソール１０ａの底面に密度の大きい磁束が形成される可能性ある。ソール１０ａの底面に密度の大きい磁束が形成されると、ソール１０ａの底面に鉄片が付着して歩行を阻害するおそれがあるので、ソール１０ａの底面に密度の大きい磁束が形成されないように磁束を案内することが好ましい。
【００４６】
磁束を案内する手段としては、例えば、ソール１０ａの内部に磁性体からなる誘導部材を配置して、磁石３０ａによりソール１０ａの内部に形成される磁束を補足して、ソール１０ａの底面に多くの磁束が表出しないよう誘導することができる。このような誘導部材としては、ソール１０ａに磁石３０ａと共に埋め込まれる鉄製の専用部材を用いることができ、鉄製の踏み抜き防止材を兼用することもできる。
【００４７】
図３の靴１ａの磁石３０ａの種類等は、図１の靴１の磁石３０と同様であるため、重複する説明は省略する。
【００４８】
＜利点＞
当該靴１ａは、磁石３０ａがソール１０ａに埋め込まれているので、歩行の際に磁石３０ａが引っかかることがない。
【００４９】
また、当該靴１ａでは磁石３０ａがソール１０ａに埋め込まれているので、磁石３０ａが外力により当該靴１ａから脱落する危険性が小さい。
【００５０】
［第三実施形態］
図４の靴１ｂは、ソール１０ｂとこのソール１０ｂの周縁部１１ｂ近傍上側に接続される外周部２１を有するアッパー２０と、アッパー２０の外周部２１に配設される複数の磁石３０とを備える。この靴１ｂは、互いに対称な左右一対に形成されるが、図４には左足用のみを示す。なお、図４の靴１ｂのアッパー２０及び磁石３０は、図１の靴１のアッパー２０及び磁石３０と同様であるため、同じ構成要素には同一の符号を付して、重複する説明を省略する。
【００５１】
＜ソール＞
図４の靴１ｂにおいて、ソール１０ｂの周縁部１１ｂは、アッパー２０の外周部２１よりも僅かに外側に張り出している（図４の靴１ｂのつま先部分参照）。
【００５２】
ソール１０ｂの周縁部１１ｂの外周部２１からの張り出し量としては、磁石３０の厚さと略等しいかそれより小さいことが好ましい。
【００５３】
ソール１０ｂの平均厚さの下限としては、図１の靴１のソール１０と同様とされる。一方、ソール１０ｂの平均厚さの上限としては、１０ｍｍが好ましく、５ｍｍがより好ましい。ソール１０ｂの平均厚さが上記上限を超える場合、磁石３０の最下部からソール１０ｂの底面までの垂直距離が過大となり、磁石３０が地面又は床に落ちている鉄片を十分に吸着できないおそれがある。
【００５４】
図４の靴１ｂのソール１０ｂの材質等、上記以外の構成は、図１の靴１のソール１０と同様であるため、同じ構成要素には同じ符号を付して重複する説明は省略する。
【００５５】
＜利点＞
当該靴１ｂでは、磁石３０がアッパー２０の外周部２１に配設されている。つまり、当該靴１ｂは、ソール１０ｂの周縁部１１ｂとアッパー２０の外周部２１との間に段差があってもよく、既存の靴に磁石３０を貼着することにより容易に形成できる。
【００５６】
また、当該靴１ｂは、磁石３０の下方にソール１０ｂの周縁部１１ｂ張り出しているため、磁石３０が吸着した釘等の長尺な鉄片が、ソール１０ｂの底面側にはみ出し難い。このため、当該靴１ｂは、磁石３０が吸着した鉄片により歩行が阻害され難い。
【００５７】
［第四実施形態］
図５の靴１ｃは、ソール１０とこのソール１０の周縁部１１近傍上側に接続される外周部２１及び外周部２１の前部に連続してソール１０の上を部分的に覆う上被部２２を有するアッパー２０と、ソール１０の周縁部１１及びアッパー２０の外周部２１に跨って配設される複数の磁石３０と、アッパー２０の上被部２２の少なくともつま先領域に配設される複数の第２の磁石４０とを備える。この靴１ｃは、互いに対称な左右一対（右足用及び左足用）に形成されるが、図には左足用のみを示す。なお、図５の靴１ｃのソール１０、アッパー２０及び磁石３０については、図１の靴１のソール１０、アッパー２０及び磁石３０と同様であるため、同じ構成要素には同一の符号を付して、重複する説明を省略する。
【００５８】
＜第２の磁石＞
図５の靴１ｃの第２の磁石４０は、図１の磁石３０について説明したものと同様のものが使用できる。また、図５の靴１ｃにおいて、第２の磁石４０は、磁石３０と同一のものであってもよく、磁石３０と異なる形状、大きさ又は表面磁束密度を有するものであってもよい。
【００５９】
第２の磁石４０の間隔としては、特に限定されないが、例えば５ｍｍ以上２０ｍｍ以下とされる。また、第２の磁石４０は、磁石３０と一体となってアッパー２０の外周部２１及び上被部２２を等間隔で覆うよう連続的に配置されてもよい。
【００６０】
また、第２の磁石４０は、アッパー２０の内部に設けられる先芯の上に配置されることが好ましい。これにより第２の磁石４０に吸着された釘等の鋭利な鉄片が誤ってアッパー２０を貫通してユーザーを傷つけることを防止できる。
【００６１】
＜利点＞
当該靴１ｃは、少なくとも上被部２２のつま先領域に配設される第２の磁石４０を備えるので、つま先で地面又は床を擦るようにして落ちている釘等の鉄片を探し出して拾い集めることができる。
【００６２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらはすべて本発明の範囲に属するものと解釈されるべきである。
【００６３】
本発明の履物は、典型的には靴とされるが、靴には限定されず、例えば地下足袋、スリッパ、オーバーシューズ等であってもよい。
【００６４】
また、本発明の履物は、一般的なスリッパのように、左右が特定されず、左足にも右足にも履くことができるものであってもよい。
【００６５】
また、本発明の履物は、レースに替えて、バックル、面ファスナー、ゴム等によってアッパーがユーザーの足にフィットするよう構成されてもよい。
【００６６】
また、本発明の履物は、ＪＩＳ−Ｔ−８１０１（２００６）に規定される安全靴の基準を満たすことが好ましい。具体的には、アッパーの材質が安全靴の基準を満たすものであれば、磁石に吸着した釘等の鋭利な鉄片が容易にアッパーを貫通しない。さらに、アッパーの中に配設される先芯が安全靴の基準を満たす強度を有することで、つま先で地面や物を蹴った場合にも、磁石に吸着した釘等の鋭利な鉄片が容易にアッパーを貫通しないようにできる。
【００６７】
また、本発明の履物において、磁石を覆う着脱可能なカバーを設けてもよい。このようなカバーを設けることにより、カバーを取り外すことで磁石に吸着された鉄片を同時に取り外すことができる。
【００６８】
また、本発明の履物において、磁石は板状のものに限らず、任意の形状のものを採用できる。例えば、ゴム磁石を用いて、ソールの周縁部又はその上側のアッパーの外周部を連続的に覆ってもよい。
【産業上の利用可能性】
【００６９】
本発明は、鉄片を回収するために広く利用でき、特に大工用の靴として好適である。
【符号の説明】
【００７０】
１，１ａ，１ｂ，１ｃ  靴
１０，１０ａ，１０ｂ  ソール
１１，１１ａ，１１ｂ  周縁部
１２  踏みつけ部
１３  踏まず部
１４  かかと部
２０，２０ａアッパー
２１，２１ａ  外周部
２２，２２ａ  上被部
２３  ブラッチャー
２４  タン
２５  はと目
２６  レース
３０，３０ａ  磁石
４０  第２の磁石
【図１】
2015202323.tif 000003
【図２】
2015202323.tif 000004
【図３】
2015202323.tif 000005
【図４】
2015202323.tif 000006
【図５】
2015202323.tif 000007